(57)【要約】【課題】電子機器等に使用される複数のケーブルを留めるケーブル留め具に関し、特に再使用が可能であり、再度モールドの型設計等を行う必要のないケーブル留め具を提供するものである。【解決手段】ケーブル留め具であって、折り曲げ可能な平板と、この平板に備えられ、ケーブルが着脱可能に挿入される第１乃至第４の穴と、を有し、上記折り曲げは上記第１の穴と第２の穴、及び上記第３の穴と第４の穴とを互いに対向させるように行われ、上記第１の穴と第３の穴との間の上記平板は切り離し可能であることを特徴とする。【選択図】図１
2013148758.tif 000002
【特許請求の範囲】
【請求項１】
折り曲げ可能な平板と、
前記平板に備えられ、ケーブルが着脱可能に挿入される第１乃至第４の穴と、を有し、
前記折り曲げは前記第１の穴と前記第２の穴、及び前記第３の穴と前記第４の穴とを互いに対向させるように行われ、
前記第１の穴と前記第３の穴との間の前記平板は切り離し可能である
ことを特徴とするケーブル留め具。
【請求項２】
前記第１乃至第４の穴に対する前記ケーブルの挿入は、前記第１乃至第４の穴に設けられた切り込みを使用して行うことを特徴とする請求項１に記載のケーブル留め具。
【請求項３】
前記平板には、更にケーブルが着脱可能に挿入される第５、第６の穴が設けられ、前記折り曲げは前記第５の穴と前記第６の穴も互いに対向させるように行われ、前記第３の穴と前記第５の穴との間の前記平板も切り離し可能であることを特徴とする請求項１に記載のケーブル留め具。
【請求項４】
前記第５及び第６の穴に対する前記ケーブルの挿入は、前記第５及び第６の穴に設けられた切り込みを使用して行うことを特徴とする請求項３に記載のケーブル留め具。
【請求項５】
前記平板には、更にケーブルが着脱可能に挿入される第７、第８の穴が設けられ、
前記折り曲げは前記第２の穴と前記第７の穴、及び前記第４の穴と前記第８の穴とも互いに対向させるように行われ、前記第７の穴と前記第８の穴との間の前記平板も切り離し可能であることを特徴とする請求項１に記載のケーブル留め具。
【請求項６】
前記第７及び第８の穴に対する前記ケーブルの挿入は、前記第７及び第８の穴に設けられた切り込みを使用して行うことを特徴とする請求項５に記載のケーブル留め具。
【請求項７】
前記平板の折り曲げ部は、前記平板の他の部分より薄く形成されていることを特徴とする請求項１、２、３、４、５、又は６に記載のケーブル留め具。
【発明の詳細な説明】
【技術分野】
【０００１】
本発明は電子機器等に使用される複数のケーブルを留めるケーブル留め具に関する。
【背景技術】
【０００２】
今日、電子機器や通信機器等において、ＬＡＮケーブルや、ＡＣアダプタケーブル（ＡＣ  ＡＤＰケーブル）、ＵＳＢ（Universal Serial Bus）ケーブル等の各種ケーブルが使用されている。そして、このようなケーブルを装置内、又は装置間で配線する際、ケーブル留め具が使用される。
【０００３】
図７は従来のケーブル留め具である、例えばナイロンバンドの例を示す図であり、図７（ａ）はナイロンバンド２０の平面図を示し、同図（ｂ）はナイロンバンド２０の正面図を示す。また、図８は上記ナイロンバンド２０を使用して、例えばＡＣ  ＡＤＰケーブル２１とミニＵＳＢケーブル２２を結束した例を示す。この場合、２本のケーブル２１、２２を重ね、ナイロンバンド２０で結束し、残ったナイロンバンド２０の部分が切断された状態である。
【０００４】
一方、図９は従来のケーブル留め具の他の例を示す図であり、ケーブルの外径に合わせた専用の留め具２３を、例えばモールド等で成形したものである。また、図１０は上記留め具２３を使用して、上記と同じＡＣ  ＡＤＰケーブル２１とミニＵＳＢケーブル２２の２本のケーブルを結束した例を示す。この場合、外径の細いＡＣ  ＡＤＰケーブル２１を溝２３ａから留め具２３に嵌合し、外径の太いミニＵＳＢケーブル２２を溝２３ｂから留め具２３に嵌合し、２本のケーブルを結束する。
【０００５】
尚、特許文献１は、光カプラの保持具に関する発明であり、横長形状の板状体に２つの穴と板状体の側部から上記穴に渡って切り込まれた溝が設けられ、上記板状体を湾曲させた状態で２つの穴に１本の光カプラを挿通し、曲げを解除した後に上記板状体の復元力で光カプラを縁に係止する発明を開示する。
【０００６】
また、特許文献２は、ワイヤハーネスの梱包保持具に関する発明であり、４つの穴が設けられた弾性板を使用し、各穴の側部に設けられた切り欠きを押し広げてワイヤハーネスを挿入し、弾性板に複数のワイヤハーネスを保持して梱包する発明を開示する。
【先行技術文献】
【特許文献】
【０００７】
【特許文献１】特開２００６−００３４４９号公報
【特許文献２】特開２００５−０３２４９６号公報
【発明の概要】
【発明が解決しようとする課題】
【０００８】
上記図７に示すナイロンバンド２０を使用して２本のケーブルを結束する例では、ケーブルの交換が必要になった場合や、更にケーブルを追加して３本以上のケーブルの結束が必要になった場合、同じナイロンバンド２０を使用することができない。また、図９に示す専用の留め具２３を使用する場合も、ケーブルの交換が必要になった場合、新たなケーブルの外径が一致しなければ、再度モールドの型設計等を行なう必要がある。
【０００９】
そこで、本発明は再使用が可能であり、再度モールドの型設計等を行う必要のないケーブル留め具を提供するものである。
【課題を解決するための手段】
【００１０】
本発明によれば、樹脂等の折り曲げ可能な平板と、この平板に備えられ、ケーブルが着脱可能に挿入される第１乃至第４の穴とを備えるケーブル留め具であり、上記第１の穴と第２の穴、及び上記第３の穴と第４の穴とを互いに対向させるように折り曲げ、上記第１の穴と第３の穴との間の平板に切込みを設け、例えば細いケーブルを保持する第１の穴の位置と太いケーブルを保持する第３の穴が形成された位置が上記切込みによってそれぞれのケーブルの太さに応じた角度まで開き、２本のケーブルを１つのケーブル留め具に留める構成である。このように構成することにより、太さの異なるケーブルを使用するためケーブルを交換する場合でも、同じケーブル留め具を使用することができる。
【００１１】
また、本発明には、更に上記平板にケーブルが着脱可能に挿入される第５、第６の穴が設けられ、上記折り曲げは上記第５の穴と第６の穴も互いに対向させるように行われ、上記第３の穴と前記第５の穴との間の上記平板も切り離し可能であり、例えば３本のケーブルを１つのケーブル留め具に留めることができる。
【００１２】
また、本発明には、更に上記平板にケーブルが着脱可能に挿入される第７、第８の穴が設けられ、上記折り曲げは上記第２の穴と第７の穴、及び上記第４の穴と第８の穴とも互いに対向させるように行われ、上記第７の穴と第８の穴との間の上記平板も切り離し可能であり、このように構成することにより、より確実にケーブルをケーブル留め具に保持することができる。
【発明の効果】
【００１３】
本発明によれば、以前と異なる太さのケーブルを使用するためケーブルを交換する場合でも、同じケーブル留め具を使用することができる。また、幅広い範囲のケーブル径に対応できるため、何種類ものケーブル留め具を集約し、より少ない種類のケーブル留め具に整理することができる。さらに、市販の樹脂シートを使用し、簡単な加工によってケーブル留め具を作成することができる。
【図面の簡単な説明】
【００１４】
【図１】（ａ）は本実施形態のケーブル留め具の平面図であり、（ｂ）はその側面図である。
【図２】（ａ）はケーブル留め具を折り曲げた状態を示す外観図であり、（ｂ）はその正面図であり、（ｃ）はその側面図である。
【図３】ケーブル留め具を使用してＡＣ  ＡＤＰケーブルとミニＵＳＢケーブルの２本のケーブルを結束する例を説明する図である。
【図４】２本のケーブルをケーブル留め具に留めた状態を示す側面図である。
【図５】（ａ）は３本のケーブルを留めるケーブル留め具の外観図であり、（ｂ）はその正面図であり、（ｃ）はその側面図である。
【図６】３個所の穴を使用してケーブルを留めるケーブル留め具の例を示す図である。
【図７】（ａ）は従来のケーブル留め具である、例えばナイロンバンドの平面図を示し、（ｂ）はその正面図を示す。
【図８】ナイロンバンドを使用して、２本のケーブルを結束した例を示す図である。
【図９】従来のケーブル留め具の他の例を示す図であり、ケーブルの外径に合わせた専用の留め具の例を示す図である。
【図１０】専用の留め具を使用して、２本のケーブルを結束した例を示す図である。
【発明を実施するための形態】
【００１５】
以下、本発明の実施の形態に関し、図面を参照しながら説明する。
図１（ａ）は本実施形態のケーブル留め具の平面図であり、同図（ｂ）はその側面図である。本実施形態のケーブル留め具１は、ポリプロピレン（ＰＰ）、又はポリエチレンテレフタレート（ＰＥＴ）、又はポリスチレン（ＰＳ）等の樹脂で構成され、所定の厚さと大きさを有する。例えば、ケーブル留め具１の厚さは、０．１〜１．０ｍｍであり、ある程度の折り曲げが可能である。
【００１６】
本実施形態のケーブル留め具１は、例えば、略長方形状の平板に４つの穴２ａ〜２ｄ（第１の穴〜第４の穴）が形成されている。第１の穴である穴２ａと第２の穴である穴２ｂには同じケーブルが嵌入され、第３の穴である穴２ｃと第４の穴である穴２ｄにも同じケーブルが嵌入される。また、穴２ａと穴２ｂの大きさは、嵌入するケーブルの外径より大きく、必ずしも同じ大きさである必要はない。同様に、穴２ｃと穴２ｄの大きさも、嵌入するケーブルの外径より大きく、必ずしも同じ大きさである必要はない。
【００１７】
尚、本例において、例えば穴２ａ〜２ｄの大きさが直径５ｍｍであるケーブル留め具であれば、外径が３．５〜４．８ｍｍ程度のケーブルを留めることができる。
【００１８】
また、各穴２ａ〜２ｄにはケーブルを嵌入するための切込み３ａ〜３ｄが平板の外側に向かって形成されている。例えば、穴２ａには切込み３ａが形成され、ケーブルを穴２ａに嵌入する際、切込み３ａをケーブル導入用に使用し、ケーブルを穴２ａに嵌入する。また、穴２ｂには切込み３ｂが形成され、穴２ｃには切込み３ｃが形成され、穴２ｄには切込み３ｄが形成され、上記と同様、ケーブルを穴２ｂ〜２ｄに嵌入する際、対応する切込み３ｂ〜３ｄをケーブル導入用に使用し、ケーブルを対応する穴２ｂ〜２ｄに嵌入する。この切込み３ａ〜３ｄは、ケーブルを嵌入する為のもので、図１の様に外側へ直線的なものであるが、これに限らず波形や螺旋状であってもよい。また、切込み３ａ〜３ｄの方向も、図１に記入された方向に限らず、ケーブルが嵌入され、嵌入後は保持される方向であれば、どの方向であってもよい。
【００１９】
さらに、ケーブル留め具１には、穴２ａと穴２ｃとの間に切込み４が設けられている。この切込み４は、穴２ａが設けられたケーブル留め具１のＡ部と穴２ｃが設けられたケーブル留め具１のＣ部を分割可能にするための構成であり、例えば点線で示す折曲げ部５を軸にＡ部とＣ部を異なる角度に折り曲げ可能とするものである。
【００２０】
尚、上記切込み４の先端には小さな丸穴６が形成されている。この丸穴６は上記切込み４が、更に広がることを防止するために設けられている。
【００２１】
一方、折曲げ部５は図１（ｂ）に示すように、ケーブル留め具１の厚さより薄く形成され、例えばケーブル留め具の厚さの半分程度の厚さに形成されている。したがって、例えばケーブル留め具１の厚さが１．０ｍｍである場合、折曲げ部５の厚さは０．５ｍｍ程度に形成されている。
【００２２】
図２は上記構成のケーブル留め具１を、折曲げ部５を中心に図１（ｂ）に示す矢印方向に折り曲げた状態を示す図であり、図２（ａ）はその外観図であり、同図（ｂ）はその正面図であり、同図（ｃ）はその側面図である。図２（ａ）〜（ｃ）に示すように、ケーブル留め具１は折曲げ部５を中心に所定角度折り曲げられた状態であり、穴２ａと２ｂが対向し、穴２ｃと穴２ｄが対向する。尚、この時ケーブル留め具１のＡ部とＣ部は、共に同じ角度に折り曲げられた状態である。
【００２３】
次に、本例のケーブル留め具１を使用して、太さの異なる２本のケーブルを具体的に留める例を説明する。
【００２４】
図３は上記構成のケーブル留め具１を使用してミニＵＳＢケーブル８とＡＣ  ＡＤＰケーブル９の２本のケーブルを結束する例を示す。尚、ミニＵＳＢケーブル８の外径は、例えば４．５ｍｍであり、ＡＣ  ＡＤＰケーブル９の外径は３．５ｍｍである。また、ミニＵＳＢケーブル８はパーソナルコンピュータ（ＰＣ）等の装置に接続するためのコネクタ１０を備え、ＡＣ  ＡＤＰケーブル９は電源ラインを不図示の装置に接続するための接続ピン１１を備える。
【００２５】
先ず、太い方のケーブルであるミニＵＳＢケーブル８をケーブル留め具１に留めるため、ケーブル導入用の切込み３ｄを広げ、ミニＵＳＢケーブル８を穴２ｄに嵌入する。次に、ケーブル導入用の切込み３ｃを広げ、ミニＵＳＢケーブル８を穴２ｃに嵌入し、ミニＵＳＢケーブル８をケーブル留め具１に留める。一方、細い方のケーブルであるＡＣ  ＡＤＰケーブル９についても同様に、先ずケーブル導入用の切込み３ｂを広げ、ＡＣ  ＡＤＰケーブル９を穴２ｂに嵌入し、次に切込み３ａを広げ、ＡＣ  ＡＤＰケーブル９を穴２ａに勘入し、ＡＣ  ＡＤＰケーブル９をケーブル留め具１に留める。
【００２６】
図４は上記２本のケーブル８及び９をケーブル留め具１に留めた状態を示す側面図である。この場合、材質の弾性力によってそれぞれのケーブル８及び９が対応する穴に保持される。すなわち、樹脂で構成される本例のケーブル留め具１は、前述の折曲げ部５における弾性力によってＡＣ  ＡＤＰケーブル９を保持する穴２ａが形成されたＡ部とミニＵＳＢケーブル８を保持する穴２ｃが形成されたＣ部が切込み４によってそれぞれのケーブルの太さに応じた角度まで開き、２本のケーブルをケーブル留め具１に留めることができる。
【００２７】
尚、Ａ部及びＣ部の開く角度はケーブルの外径とそれぞれの穴２ａ〜２ｄの直径、更にケーブルの材質等によって決まり、例えば穴２ａ〜２ｄの直径及びケーブルの材質が同じであれば、ケーブルの外径が細いＡＣ  ＡＤＰケーブル９が保持されるＡ部の方がＣ部に比べて開く角度が大きくなる。
【００２８】
以上のように、本例によれば、使用するケーブルの太さによって所謂フラップ状のＡ部とＣ部が広がるため、ケーブルを交換する必要がある場合でも、以前のケーブルと異なる太さのケーブルでも使用することができ、従来のようにケーブルを交換する毎にケーブル留め具を交換する必要がない。
【００２９】
また、幅広い範囲のケーブル径に対応できるため、何種類ものケーブル留め具を集約し、より少ない種類のケーブル留め具に整理することができる。さらに、本例のケーブル留め具１は前述のようにポリプロピレン（ＰＰ）等の市販の樹脂シートを使用し、例えば型抜きして製造することができるので、製造コストの面でも有利である。
【００３０】
尚、上記実施形態においては２本のケーブルを留めるケーブル留め具の例を説明したが、例えば３本のケーブルを留める場合には、図５に示すケーブル留め具１０を使用する。図５（ａ）はケーブル留め具１０の外観図であり、同図（ｂ）はその正面図であり、同図（ｃ）はその側面図である。この場合、前述と同様、穴２ａと２ｂが対向し、穴２ｃと穴２ｄが対向し、更に穴（第５の穴）２ｅと穴（第６の穴）２ｆが対向する。
【００３１】
このケーブル留め具１０の場合も、前述の図１に示すケーブル留め具１と同様、２本のケーブルを留めた後、更に３本目のケーブルをケーブル導入用の切込み３ｆを広げ、新たなケーブルを穴２ｆに嵌入し、更にケーブル導入用の切込み３ｅを広げ、新たなケーブルを穴２ｅに嵌入し、３本のケーブルをケーブル留め具１０に留める。
【００３２】
この場合も前述と同様、材質の弾性力によってそれぞれのケーブルが対応する穴に保持され、Ａ部とＣ部が切込み４によってそれぞれのケーブルの太さに応じた角度まで開き、更にＣ部と新たなケーブルが保持されたＥ部が切込み１２によってそれぞれのケーブルの太さに応じた角度まで開き、３本のケーブルをケーブル留め具１０に留めることができる。尚、３本に限らず、更に４本以上のケーブルを留めるケーブル留め具についても同様に構成することができる。
【００３３】
一方、図６は２本ケーブルを留めるケーブル留め具１４の例であるが、更にそれぞれのケーブルを３個所の穴で保持する構成である。この場合、前述と同様、穴２ａと２ｂが対向し、更に上記穴２ｂと新たな穴（第７の穴）２ｇが対向する。また、穴２ｃと穴２ｄが対向し、更に上記穴２ｄと新たな穴（第８の穴）２ｈが対向する。また、このケーブル留め具１４の穴２ｇと穴２ｈとの間にも切込み１５が設けられている。この切込み１５も、穴２ｇが設けられたケーブル留め具１４のＧ部と穴２ｈが設けられたＨ部を分割可能にするための構成であり、新たな折曲げ部１６を軸にＧ部とＨ部を異なる角度に折り曲げ可能とするものである。
【００３４】
図６に示すケーブル留め具１４の場合、前述と同様、先ず太い方のケーブルであるミニＵＳＢケーブル８を留めるため、不図示の切込み３ｄを広げケーブル８を穴２ｄに嵌入し、次に切込み３ｃを広げケーブル８を穴２ｃに勘入し、更に切込み３ｈを広げ新たな穴２ｈにケーブル８を留める。同様、細い方のケーブルであるＡＣ  ＡＤＰケーブル９を留めるため、不図示の切込み３ｂを広げケーブル９を穴２ｂに嵌入し、次に切込み３ａを広げケーブル９を穴２ａに嵌入し、更に切込み３ｇを広げ新たな穴２ｇにケーブル９を留める。
【００３５】
この場合、前述と同様、材質の弾性力によってそれぞれのケーブルが対応する穴に保持されるが、上記ケーブル留め具１及び１０の場合と異なり、本例の場合３個所でケーブルを保持するため、より確実にケーブルをケーブル留め具１４に保持することができる。
【００３６】
尚、上記例ではそれぞれのケーブルを３個所の穴で保持する構成としたが、４個所以上の穴で保持する構成としてもよい。また、上記例では２本のケーブルについて、それぞれのケーブルを３個所の穴で保持する構成としたが、３本のケーブルについて、それぞれのケーブルを３個所の穴で保持する構成としてもよい。さらに、４本以上のケーブルについて、それぞれのケーブルを３個所の穴で保持する構成としてもよく、更にそれぞれのケーブルを４個所以上の穴で保持する構成としてもよい。
【００３７】
また、上記実施形態の説明では、太い方のミニＵＳＢケーブル８を先にケーブル留め具に取り付け、次に細い方のＡＣ  ＡＤＰケーブル９をケーブル留め具に取り付ける場合について説明したが、逆に細い方のＡＣ  ＡＤＰケーブル９を先にケーブル留め具に取り付け、次に太い方のミニＵＳＢケーブル８をケーブル留め具に取り付けるようにしてもよい。
【符号の説明】
【００３８】
１      ケーブル留め具
２ａ〜２ｄ      穴
２ｅ〜２ｈ      穴
３ａ〜３ｈ      切込み
４      切込み
５      折曲げ部
６      丸穴
８      ミニＵＳＢケーブル
９      ＡＣ  ＡＤＰケーブル
１０      ケーブル留め具
１２      切込み
１４      ケーブル留め具
１５      ・切込み
１６      折曲げ部
【図１】
2013148758.tif 000003
【図２】
2013148758.tif 000004
【図４】
2013148758.tif 000005
【図９】
2013148758.tif 000006
【図３】
2013148758.tif 000007
【図５】
2013148758.tif 000008
【図６】
2013148758.tif 000009
【図７】
2013148758.tif 000010
【図８】
2013148758.tif 000011
【図１０】
2013148758.tif 000012